(57)【要約】【課題】検査工程等の新たな工程を追加することなくゴムリングの表面に付着した異物を除去する。【解決手段】本明細書によって開示される端子保持部材１０は、端子２０を保持する端子保持部材１０であって、端子２０に周設された円環状のフランジ部２１に対して後方から当接する円筒部１２と、円筒部１２の内周面に周設されフランジ部２１との間にゴムリング３０を収容してゴムリング３０を抜け止めする抜止部１５とを備え、円筒部１２の内周面においてゴムリング３０が通過する箇所には、ゴムリング３０の外径よりも小さい内径を有する異物除去部１６が設けられている構成とした。【選択図】図４
2017216176.tif 000002
【特許請求の範囲】
【請求項１】
端子を保持する端子保持部材であって、
前記端子に周設された円環状のフランジ部に対して後方から当接する円筒部と、
前記円筒部の内周面に周設され前記フランジ部との間にゴムリングを収容して前記ゴムリングを抜け止めする抜止部とを備え、
前記円筒部の内周面において前記ゴムリングが通過する箇所には、前記ゴムリングの外径よりも小さい内径を有する異物除去部が設けられている端子保持部材。
【請求項２】
前記異物除去部は、前記円筒部の内周面から全周に亘って径方向内側に突出する形態をなし、前記円筒部と同軸配置とされている請求項１に記載の端子保持部材。
【請求項３】
前記異物除去部は前記円筒部の内周面における前端部に設けられており、前記ゴムリングの外周面に周設された外周リップよりも前方に配されている請求項１または請求項２に記載の端子保持部材。
【発明の詳細な説明】
【技術分野】
【０００１】
本明細書によって開示される技術は、端子保持部材に関する。
【背景技術】
【０００２】
従来、端子を保持する端子保持部材を備えたコネクタとして、特開２０１１−１７１１６６号公報（下記特許文献１）に記載の充電用コネクタが知られている。この充電用コネクタは、端子金具と、端子金具を収容するキャビティが形成された端子収容部と、端子金具をキャビティに収容された状態に保持するリテーナとを備えて構成されている。端子金具は、複数の接触片を備えた雌側本体部と、雌側本体部の外周に周設された雌側フランジ部と、雌側本体部における雌側フランジ部よりも前方に装着されたシールリングとを有している。一方、リテーナは、雌側フランジ部に対して後方から係止する一対の抜け止め片を有している。
【０００３】
端子金具をキャビティに向けて後方から挿入すると、両抜け止め片が雌側フランジ部に押し込まれ、両抜け止め片の先端が揺動軌跡を描きながら外側に変位する。そして、雌側フランジ部が両抜け止め片の間を通過すると、両抜け止め片の先端が揺動軌跡を描きながら内側に変位し、両抜け止め片が弾性的に復帰する。この状態で、端子金具が後方に引っ張られると、両抜け止め片の先端が雌側フランジ部に後方から当接して係止することにより、端子金具が端子収容部に保持される。
【先行技術文献】
【特許文献】
【０００４】
【特許文献１】特開２０１１−１７１１６６号公報
【発明の概要】
【発明が解決しようとする課題】
【０００５】
しかしながら、上記の構成では、シールリングの表面に異物が付着していた場合に、異物の付着に気が付かないまま、そのまま端子金具をキャビティに挿入してしまうことがあり得る。その対策として、挿入直前に異物検査を追加することも考えられるが、検査工程を追加すると、その分だけ時間がかかり、作業効率が低下してしまう。したがって、検査工程を追加することなくシールリングの異物を除去できるようにすることが望ましい。
【課題を解決するための手段】
【０００６】
本明細書によって開示される端子保持部材は、端子を保持する端子保持部材であって、前記端子に周設された円環状のフランジ部に対して後方から当接する円筒部と、前記円筒部の内周面に周設され前記フランジ部との間にゴムリングを収容して前記ゴムリングを抜け止めする抜止部とを備え、前記円筒部の内周面において前記ゴムリングが通過する箇所には、前記ゴムリングの外径よりも小さい内径を有する異物除去部が設けられている構成とした。
【０００７】
このような構成によると、ゴムリングが装着された端子を円筒部に対して前方から挿入すると、ゴムリングが異物除去部を通過する際に、ゴムリングの表面を異物除去部が拭うことになるから、端子を円筒部に挿入するだけでゴムリングの表面に付着した異物を異物除去部によって除去することができる。したがって、検査工程等の新たな工程を追加することなくゴムリングの表面に付着した異物を除去することができる。
【０００８】
本明細書によって開示された端子保持部材は、以下の構成としてもよい。
前記異物除去部は、前記円筒部の内周面から全周に亘って径方向内側に突出する形態をなし、前記円筒部と同軸配置とされている構成としてもよい。
このような構成によると、端子を異物除去部に挿入することで円筒部に対して同軸配置をなすように端子を挿入することができる。
【０００９】
前記異物除去部は前記円筒部の内周面における前端部に設けられており、前記ゴムリングの外周面に周設された外周リップよりも前方に配されている構成としてもよい。
このような構成によると、円筒部に対する端子の挿入が完了した際に、異物除去部によって外周リップが潰されたままになることがなく、外周リップが円筒部の内周面に密着することでシール性能を発揮することができる。
【発明の効果】
【００１０】
本明細書によって開示される端子保持部材によれば、検査工程等の新たな工程を追加することなくゴムリングの表面に付着した異物を除去することができる。
【図面の簡単な説明】
【００１１】
【図１】端子が円筒部に挿入された端子保持部材の正面図
【図２】端子が円筒部に挿入された端子保持部材の側面図
【図３】図１におけるＡ−Ａ線断面図
【図４】(A)はゴムリングを円筒部に挿入し始めた状態を示した断面図であり、(B)はゴムリングを円筒部に挿入し終わった状態を示した断面図を示す。
【発明を実施するための形態】
【００１２】
＜実施形態＞
実施形態を図１から図４の図面を参照しながら説明する。本実施形態の端子保持部材１０は、図１に示すように、略円形をなす本体部１１、本体部１１を前後方向に貫通する形態をなす複数の端子挿入孔１３がそれぞれ内部に設けられた複数の円筒部１２、図示しないハウジングに設けられた複数のロック突部に係止する複数のロック片１４などを備えて構成されている。円筒部１２の端子挿入孔１３には、端子２０が前方から挿入されるようになっている。以下においては、端子２０を端子挿入孔１３に挿入する方向を後方とし、端子２０を端子挿入孔１３から抜き出す方向を前方として説明する。すなわち、図１における紙面手前側を前側とし、紙面奥側を後側とする。
【００１３】
円筒部１２は前後方向に貫通する円筒状をなし、図２に示すように、本体部１１の前面から前方に突出する形態をなしている。一方、ロック片１４は、本体部１１の周縁部から前方に突出する形態をなしている。図３に示すように、円筒部１２の内周面における前端部のやや後方には、抜止部１５が設けられている。抜止部１５は、円筒部１２の内周面から全周に亘って径方向内側に突出する形態をなしている。抜止部１５の前面は垂直面とされているのに対して、抜止部１５の後面はテーパ面とされている。
【００１４】
端子挿入孔１３は、抜止部１５の前側と後側とではいずれも同じ内径の大径孔１３Ａとされているのに対して、抜止部１５の内周側では大径孔１３Ａよりも内径が小さい小径孔１３Ｂとされている。一対の大径孔１３Ａと小径孔１３Ｂとは同軸配置とされており、互いに連通している。
【００１５】
端子２０は全体として丸ピン形状をなし、図２に示すように、円筒部１２の前端によって後方から係止される円環状のフランジ部２１と、フランジ部２１の前面から前方に突出する形態をなす小径部２２と、フランジ部２１の後面から後方に突出する形態をなす大径部２３とを備えて構成されている。大径部２３のうち後半分は後方に開口する円筒形状をなす電線接続部２３Ａとされ、大径部２３のうち前半分は中実の円柱形状をなす端子本体部２３Ｂとされている。
【００１６】
フランジ部２１の外径は、端子挿入孔１３の大径孔１３Ａの内径より大きく、円筒部１２の外径とほぼ同じか、これよりやや小さめとされている。したがって、フランジ部２１を円筒部１２に前方から近づけていくと、フランジ部２１が大径孔１３Ａに入り込んでしまうことはなく、円筒部１２の前端部に当接することになる。
【００１７】
端子本体部２３Ｂの外径は、端子挿入孔１３の小径孔１３Ｂの内径よりもやや小さい。したがって、大径部２３を円筒部１２に前方から近づけていくと、大径孔１３Ａに進入した後、小径孔１３Ｂに進入可能となっている。また、端子本体部２３Ｂが小径孔１３Ｂに挿通されると、端子本体部２３Ｂが円筒部１２に対してほぼ同軸に位置決めされる。
【００１８】
ゴムリング３０はゴム製であって、端子２０の大径部２３が圧入気味に挿入されるシール孔３１を有し、シール孔３１の内周面には図示しない複数条の内周リップが周設されている。端子３０の大径部２３がシール孔３１に挿入されると、各内周リップが潰されることで大径部２３の外周面とシール孔３１の内周面との間がシールされる。一方、ゴムリング３０の外周面には、複数条の外周リップ３２が周設されている。
【００１９】
端子２０を円筒部１２に挿入するにあたっては、まず、ゴムリング３０のシール孔３１に端子２０の大径部２３を挿入し、フランジ部２１の後面に沿う位置にゴムリング３０を装着しておく。また、電線は、円筒部１２の端子挿入孔１３に後方から先通ししておき、電線の芯線を電線接続部２３Ａに挿入した後、圧着を行うことでこれらを接続しておく。
【００２０】
次に、電線が接続された大径部２３を円筒部１２に前方から挿入していき、小径孔１３Ｂに貫通させると、フランジ部２１が円筒部１２の前端部に当接することで端子２０の挿入が停止される。このとき、端子挿入孔１３のうちフランジ部２１の後面と円筒部１２の内周面と抜止部１５の前面とによって囲まれた空間が形成され、この空間がゴムリング３０を収容する空間となる。
【００２１】
さて、円筒部１２の内周面における前端部には、図４(A)に示すように、ゴムリング３０の表面に付着した異物を除去する異物除去部１６が設けられている。この異物除去部１６は、円筒部１２の内周面から全周に亘って径方向内側に突出する形態をなし、円筒部１２と同軸配置とされている。異物除去部１６の内径は、ゴムリング３０の外周リップ３２の最大外径よりも小さく、外周リップ３２の最小外径（ゴムリング３０の外周面の外径）とほぼ同じされている。このため、ゴムリング３０の外周リップ３２に異物が付着していても、異物除去部１６によって外周リップ３２の表面から異物を前方にかき出すことができる。かき出された異物は、例えばゴムリング３０の外周面に移動することになるものの、外周リップ３２以外の部分（例えばゴムリング３０の外周面）であればゴムリング３０のシール性能を低下させることはない。このように、外周リップ３２の表面に付着した異物を除去してシール性能を発揮することができるため、例えばゴムリング３０の異物検査工程等を追加しなくてもよい。
【００２２】
また、図４(B)に示すように、端子２０が円筒部１２に正規に挿入された状態では、異物除去部１６が外周リップ３２を乗り越えて、ゴムリング３０の外周面に位置しているため、外周リップ３２によるシール性能を低下させることはないものとされている。さらに、ゴムリング３０が抜止部１５によって後方から抜け止めされるとともにフランジ部２１によって前方から抜け止めされているため、ゴムリング３０が前後方向に位置決めされる。
【００２３】
上記したように、大径部２３を小径孔１３Ｂに挿通させる過程では、大径部２３が円筒部１２に対して同軸に位置決めされているから、端子２０を異物除去部１６に挿入することで円筒部１２に対して同軸配置をなすように端子２０を挿入することができる。このため、異物除去部１６によって外周リップ３２の全周が均等に潰されることになり、外周リップ３２の表面に付着した異物を確実に除去することができる。
【００２４】
以上のように上記実施形態では、ゴムリング３０が装着された端子２０を円筒部１２に対して前方から挿入すると、ゴムリング３０が異物除去部１６を通過する際に、ゴムリング３０の表面を異物除去部１６が拭うことになるから、端子２０を円筒部１２に挿入するだけでゴムリング３０の表面に付着した異物を異物除去部１６によって除去することができる。したがって、検査工程等の新たな工程を追加することなくゴムリング３０の表面に付着した異物を除去することができる。
【００２５】
異物除去部１６は、円筒部１２の内周面から全周に亘って径方向内側に突出する形態をなし、円筒部１２と同軸配置とされている構成としてもよい。
このような構成によると、端子２０を異物除去部１６に挿入することで円筒部１２に対して同軸配置をなすように端子２０を挿入することができる。
【００２６】
異物除去部１６は円筒部１２の内周面における前端部に設けられており、ゴムリング３０の外周面に周設された外周リップ３２よりも前方に配されている構成としてもよい。
このような構成によると、円筒部１２に対する端子２０の挿入が完了した際に、異物除去部１６によって外周リップ３２が潰されたままになることがなく、外周リップ３２が円筒部１２の内周面に密着することでシール性能を発揮することができる。
【００２７】
＜他の実施形態＞
本明細書によって開示される技術は上記記述及び図面によって説明した実施形態に限定されるものではなく、例えば次のような種々の態様も含まれる。
（１）上記実施形態では、異物除去部１６を円筒部１２の前端部に設けているものの、必ずしも円筒部１２の前端部に設ける必要はなく、ゴムリング３０が通過する箇所であれば、他の位置に設けてもよい。
【００２８】
（２）上記実施形態では、異物除去部１６が円筒部１２と同軸配置とされているものの、異物除去部が円筒部１２の軸心に対してオフセットした配置とされているものでもよい。
【００２９】
（３）上記実施形態では、異物除去部１６が全ての外周リップ３２よりも前方に配されているものの、異物除去部が隣り合う一対の外周リップ３２の間に位置するものでもよい。
【符号の説明】
【００３０】
１０…端子保持部材
１２…円筒部
１５…抜止部
１６…異物除去部
２０…端子
２１…フランジ部
３０…ゴムリング
３２…外周リップ
【図１】
2017216176.tif 000003
【図２】
2017216176.tif 000004
【図３】
2017216176.tif 000005
【図４】
2017216176.tif 000006